(57)【要約】【課題】室内の電子機器に悪影響を及ぼす雷電流と静電気の双方を抑制することができるフリーアクセスフロア用支持具を実現する。【解決手段】フリーアクセスフロア用支持具１００は、床面Ｆに設置される支持柱１０と、４枚のフロアパネルＰの隅部が載置される支持部材２０との間に絶縁部材３０が配設されているので、床面ＦとフロアパネルＰの間を電気的に絶縁して、雷電流が室内に侵入するのを防ぐことができる。更に、このフリーアクセスフロア用支持具１００は、支持部材２０の載置面２２に取り付けられている導電性ゴム製の緩衝部材４０が、載置面２２に載置された４枚のフロアパネルＰの隅部を弾性支持し、複数のフロアパネルＰを電気的に接続してパネル面積を広げることでキャパシタンスを増大させて静電気の逃げ場をつくれるので、フロアパネルＰに帯電する静電気が室内の電子機器などに悪影響を及ぼすことを低減することができる。【選択図】図１
2017133187.tif 000002
【特許請求の範囲】
【請求項１】
床面上の所定高さ位置にフロアパネルを支持するフリーアクセスフロア用支持具であって、
前記床面に対して垂直の向きに設置される支持柱と、
４枚のフロアパネルの隅部が載置される載置面を有する支持部材と、
前記支持柱と前記支持部材の間に配設される絶縁部材と、
前記載置面に取り付けられる緩衝部材と、
を備え、
前記緩衝部材は導電性ゴムからなり、前記４枚のフロアパネルの隅部に当接して、隣接するフロアパネル同士を電気的に導通可能に支持するように構成されていることを特徴とするフリーアクセスフロア用支持具。
【請求項２】
前記支持部材は、金属材料からなる部材であることを特徴とする請求項１に記載のフリーアクセスフロア用支持具。
【請求項３】
前記支持部材の上面には、前記４枚のフロアパネルをそれぞれ係止する４つの突起部が設けられており、
前記載置面は、前記４つの突起部の間にあって平面視略十字形状を呈しており、
前記緩衝部材は、前記載置面の形状に対応させて平面視略十字形状を呈する平板状に形成されていることを特徴とする請求項１又は２に記載のフリーアクセスフロア用支持具。
【発明の詳細な説明】
【技術分野】
【０００１】
本発明は、各種のＯＡ機器の普及により電気配線が複雑化したオフィスビル等におけるフリーアクセスフロア（二重床タイプのフロア）に用いるフリーアクセスフロア用支持具に関する。
【背景技術】
【０００２】
従来、床下に形成した空間に、電源線、電話線、ＬＡＮケーブル等を配線することで、室内に美観をもたせるようにしたフリーアクセスフロアが知られている。
フリーアクセスフロアを構成するフロアパネルはフリーアクセスフロア用支持具によって支持されており、そのフロアパネルの下に配線用の空間が形成されている。
そして、人の衣服等で発生し、フロアパネルに帯電した静電気が室内に設置されている電子機器に悪影響を及ぼさないように、フリーアクセスフロア用支持具を通じて静電気を室外に逃がすようにしたものが知られている（例えば、特許文献１，２参照。）。
【０００３】
一方、落雷による雷電流が室内に設置されている電子機器に悪影響を及ぼさないように、雷電流の侵入を阻止する絶縁キャップを備えたフリーアクセスフロア用支持具が知られている（例えば、特許文献３参照。）。
【先行技術文献】
【特許文献】
【０００４】
【特許文献１】特開２０００−１１０３３８号公報
【特許文献２】特開２００５−７６２５７号公報
【特許文献３】実用新案登録第３１７５０５４号公報
【発明の概要】
【発明が解決しようとする課題】
【０００５】
しかしながら、上記特許文献３のフリーアクセスフロア用支持具の場合、絶縁キャップがあるためフロアパネルに帯電した静電気を支持具を通じて室外に逃がすことができないので、雷電流対策に加えて静電気対策を行うために、フリーアクセスフロアに導電マットを敷くなどしてフロアパネルに帯電した静電気を逃がすようにしていた。
ところで、本発明者らは上記特許文献３のフリーアクセスフロア用支持具において、複数のフロアパネルを電気的に接続し、パネルの面積を広げてキャパシタンスを増大させるようにして静電気を逃がすことで、室内の電子機器に悪影響を与えないことが可能であることを見出した。但し、フロアパネルの接続部分が金属部品であると、その金属部品の変形や摩耗、或いは部品の寸法誤差によって金属部品とフロアパネルの接続箇所がガタついてしまったり、金属部品の表面に酸化被膜が生成したりして接触不良が発生することがあり、それによって静電気を充分に逃がすことができず、静電気による電圧を速やかに下げられなくなることがあるという課題を見出した。
【０００６】
本発明の目的は、室内の電子機器に悪影響を及ぼす雷電流と静電気の双方を抑制することができるフリーアクセスフロア用支持具を提供することである。
【課題を解決するための手段】
【０００７】
上記目的を達成するため、この発明は、
床面上の所定高さ位置に設けられるフロアパネルを支持するフリーアクセスフロア用支持具であって、
前記床面に対して垂直の向きに設置される支持柱と、
４枚のフロアパネルの隅部が載置される載置面を有する支持部材と、
前記支持柱と前記支持部材の間に配設される絶縁部材と、
前記載置面に取り付けられる緩衝部材と、
を備え、
前記緩衝部材は導電性ゴムからなり、前記４枚のフロアパネルの隅部に当接して、隣接するフロアパネル同士を電気的に導通可能に支持するように構成されているようにした。
【０００８】
かかる構成のフリーアクセスフロア用支持具であれば、床面に設置される支持柱と、４枚のフロアパネルの隅部が載置される支持部材との間に絶縁部材が配設されているので、床面とフロアパネルの間を電気的に絶縁して、雷電流が室内に侵入するのを防ぐことができる。
更に、このフリーアクセスフロア用支持具であれば、支持部材の載置面に取り付けられている導電性ゴム製の緩衝部材が、載置面に載置された４枚のフロアパネルの隅部を弾性支持し、複数のフロアパネルを電気的に接続して静電気の逃げ場をつくれるので、同一電位となるパネルの面積を広げ、フロアパネルをコンデンサの電極と見なしたときのキャパシタンスを増大させて、人の衣服等で発生し、フロアパネルに帯電した静電気が室内の電子機器などに悪影響を及ぼすのを防止することができる。具体的に、導電性ゴムからなり弾性変形可能な緩衝部材が、載置面に載置された４枚のフロアパネルの隅部を弾性支持するので、その接続箇所がガタつくことはなく、電気的な接続状態を長期間に亘って維持することができる。
また、緩衝部材が導電性ゴムであれば、表面に酸化膜が形成されることもなく、長期に亘って良好な導通状態を維持することができる。
つまり、このフリーアクセスフロア用支持具は、室内の電子機器に悪影響を及ぼす雷電流と静電気の双方を抑制することができる。
【０００９】
また、望ましくは、
前記支持部材は、金属材料からなる部材であるようにする。
【００１０】
支持部材が金属材料からなり導電性を有していれば、導電性を有する緩衝部材との相乗効果で、支持部材の載置面に載置される４枚のフロアパネルを良好に電気的に接続することができる。
【００１１】
また、望ましくは、
前記支持部材の上面の四隅には、前記４枚のフロアパネルをそれぞれ係止する４つの突起部が設けられており、
前記載置面は、前記４つの突起部の間にあって平面視略十字形状を呈しており、
前記緩衝部材は、前記載置面の形状に対応させて平面視略十字形状を呈する平板状に形成されているようにする。
【００１２】
緩衝部材が載置面の形状に対応して平面視略十字形状を呈していれば、支持部材の載置面に取り付けられる緩衝部材は４つの突起部によって位置決めされて、載置面から脱落しない。
つまり、載置面に取り付けられた緩衝部材は、載置面に載置される４枚のフロアパネルと確実に接触して電気的に接続することができる。
【発明の効果】
【００１３】
本発明によれば、室内の電子機器に悪影響を及ぼす雷電流と静電気の双方を抑制することができるフリーアクセスフロア用支持具が得られる。
【図面の簡単な説明】
【００１４】
【図１】本実施形態のフリーアクセスフロア用支持具を示す斜視図（ａ）と、その分解斜視図（ｂ）である。
【図２】支持部材と緩衝部材の組体を示す上面図（ａ）と、そのＢ−Ｂ断面図（ｂ）とＣ−Ｃ断面図（ｃ）である。
【図３】絶縁部材と支持柱の先端部材の組体を示す上面図（ａ）と、そのＢ−Ｂ断面図（ｂ）である。
【図４】フリーアクセスフロア用支持具で４枚のフロアパネルを支持している状態を示す上面図（ａ）と側面図（ｂ）である。
【発明を実施するための形態】
【００１５】
以下、図面を参照して、本発明に係るフリーアクセスフロア用支持具の実施形態について詳細に説明する。但し、以下に述べる実施形態には、本発明を実施するために技術的に好ましい種々の限定が付されているが、本発明の範囲を以下の実施形態及び図示例に限定するものではない。
フリーアクセスフロア用支持具は、フリーアクセスフロアを構成するフロアパネルを床面上の所定高さ位置に支持する器具である。
【００１６】
本実施形態のフリーアクセスフロア用支持具１００は、例えば図１〜図４に示すように、床面Ｆに対して垂直の向きに設置される支持柱１０と、４枚のフロアパネルＰの隅部が載置される載置面２２を有する支持部材２０と、支持柱１０と支持部材２０の間に配設される絶縁部材３０と、支持部材２０の載置面２２に取り付けられる緩衝部材４０と、を備えている。
【００１７】
支持柱１０は、先端部に雄ネジ部１１ａが形成されている円柱状の支柱１１と、支柱１１の下部に固定されてこの支柱１１を垂直向きに保持している板状のベース体１２と、支柱１１の先端に装着される先端部材１３と、支柱１１の雄ネジ部１１ａに螺着されている高さ調節部材１４と、を備えて構成されている。
【００１８】
先端部材１３は、支柱１１の雄ネジ部１１ａが挿入される円筒部１３ａと、円筒部１３ａの上部に固定されている矩形状の台座部１３ｂと、円筒部１３ａの側面を貫通して螺入されている止めねじ１３ｃと、を備えている。
高さ調節部材１４は、支柱１１の軸方向に沿って移動可能に雄ネジ部１１ａに螺着されているナット状の部材であり、側面を貫通して螺入された止めねじ１４ａを備えている。この高さ調節部材１４は、先端部材１３の円筒部１３ａの下部を支持するために設けられている。
つまり、雄ネジ部１１ａに螺着された高さ調節部材１４の位置を調整することで、先端部材１３の高さ位置を変えることができる。
そして、先端部材１３の高さ位置の調整後に、先端部材１３の止めねじ１３ｃと高さ調節部材１４の止めねじ１４ａを支柱１１に向けて締め付けることで、先端部材１３と高さ調節部材１４を支柱１１に固定することができる。
【００１９】
支持部材２０は、例えば金型成形されてなる金属製の部材であり、矩形の基部２０ａの四隅に形成された突起部２１を有している。
突起部２１は、基部２０ａの上面に形成された略角筒形状を呈する突起である。４つの突起部２１は、フロアパネルＰの裏面の隅に形成されている凹部Ｑに嵌め合わせて、フロアパネルＰを係止するために設けられている。
また、支持部材２０（基部２０ａ）の上面には、４つの突起部２１の間にあって平面視略十字形状を呈する載置面２２が設けられている。
【００２０】
緩衝部材４０は、導電性ゴムからなり、載置面２２の形状に対応させて平面視略十字形状を呈する平板状に形成されている。
この緩衝部材４０は、４枚のフロアパネルＰの隅部が載置される載置面２２に取り付けて使用され、その４枚のフロアパネルＰの隅部を弾性支持して電気的に接続し、隣接するフロアパネルＰ同士を電気的に導通可能に支持するようになっている。
特に、支持部材２０の載置面２２に取り付けられている略十字形状の緩衝部材４０は、四隅の突起部２１によって位置決めされて、載置面２２から脱落しないようになっているので、その載置面２２に載置される４枚のフロアパネルＰと確実に接触して電気的に接続することを可能にしている。
【００２１】
絶縁部材３０は、例えば硬質性合成樹脂などの絶縁性材料からなる箱型の部材であり、上面側に第１凹部３１が形成され、下面側に第２凹部３２が形成されている。
第１凹部３１には、支持部材２０の基部２０ａが嵌入され、第２凹部３２には、支持柱１０の先端部材１３の台座部１３ｂが嵌入されるようになっている。
この絶縁部材３０は、支持部材２０と支持柱１０（先端部材１３）とを電気的に絶縁するために設けられている。
【００２２】
このような構成・構造を有するフリーアクセスフロア用支持具１００であれば、従来公知の支持具と同様に、床面Ｆ上の所定高さ位置に設けられるフロアパネルＰを支持することができ、そのフロアパネルＰの下に配線用の空間を形成することができる。
【００２３】
そして、本実施形態のフリーアクセスフロア用支持具１００であれば、床面Ｆに設置される支持柱１０と、４枚のフロアパネルＰの隅部が載置される支持部材２０との間に絶縁部材３０が配設されているので、床面ＦとフロアパネルＰの間を電気的に絶縁して、雷電流が室内に侵入するのを防ぐことができる。
更に、このフリーアクセスフロア用支持具１００であれば、支持部材２０の載置面２２に取り付けられている導電性ゴム製の緩衝部材４０が、載置面２２に載置された４枚のフロアパネルＰの隅部に当接して、複数のフロアパネルＰを電気的に接続してパネル面積を広げてキャパシタンスを増大させて静電気の逃げ場をつくれるので、人の衣服等で発生してフロアパネルＰに帯電した静電気が室内の電子機器などに悪影響を及ぼすことを低減することができる。
【００２４】
具体的に、導電性ゴムからなり弾性変形可能な緩衝部材４０が、載置面２２に載置された４枚のフロアパネルＰの隅部を弾性支持するので、その接続箇所がガタつくことはない。また、緩衝部材４０は載置面２２から脱落しないように取り付けられているので、複数のフロアパネルＰを確実に弾性支持して電気的に接続できる。
つまり、導電性を有して弾性変形可能な緩衝部材４０が、４枚のフロアパネルＰの隅部を弾性支持して電気的に接続しており、複数のフロアパネルＰを好適に電気的に接続して同一電位となるパネルの面積を広げ、フロアパネルＰをコンデンサの電極と見なしたときのキャパシタンスを増大させて静電気の逃げ場をつくっているので、静電気による電圧を速やかに下げ、人の衣服等で発生してフロアパネルＰに帯電した静電気が室内の電子機器などに悪影響を及ぼすことを低減したり防止したりすることが可能になっている。
例えば、導電性を有する緩衝部材４０を介して電気的に接続した複数のフロアパネルＰのうち、フロアの隅の壁側にあるものを壁材に接地するようにして静電気を逃がせば、フロアパネルＰに帯電した静電気による被害を防ぐことが可能になる。
また、緩衝部材４０が導電性ゴムであれば、表面に酸化膜が形成されることもなく、長期に亘って良好な導通状態を維持することができる。
【００２５】
また、支持部材２０は金属材料からなり導電性を有しているので、導電性を有する緩衝部材４０との相乗効果で、支持部材２０の載置面２２に載置される４枚のフロアパネルＰを良好に電気的に接続することができる。
【００２６】
以上のように、本実施形態のフリーアクセスフロア用支持具１００は、室内の電子機器に悪影響を及ぼす雷電流と静電気の双方を抑制することができる。
【００２７】
なお、以上の実施の形態においては、緩衝部材４０は平面視略十字形状を呈する平板状であるとしたが、本発明はこれに限定されるものではなく、４枚のフロアパネルＰの隅部を弾性支持して電気的に接続することができる形状であれば、他の形状であってもよい。
【００２８】
また、その他、具体的な細部構造等についても適宜に変更可能であることは勿論である。
【符号の説明】
【００２９】
１０    支持柱
１１    支柱
１１ａ  雄ネジ部
１２    ベース体
１３    先端部材
１３ａ  円筒部
１３ｂ  台座部
１３ｃ  止めねじ
１４    高さ調節部材
１４ａ  止めねじ
２０    支持部材
２０ａ  基部
２１    突起部
２２    載置面
３０    絶縁部材
３１    第１凹部
３２    第２凹部
４０    緩衝部材
１００  フリーアクセスフロア用支持具
Ｐ      フロアパネル
Ｆ      床面
【図１】
2017133187.tif 000003
【図２】
2017133187.tif 000004
【図３】
2017133187.tif 000005
【図４】
2017133187.tif 000006